(57)【要約】【課題】帳簿書類の撮影画像を規定の解像度で確実に記録する。【解決手段】撮像手段により撮像された画像をライブビュー画像Ｇとして表示し（Ｓ２）、撮影待機中に、撮影指示に応じて記憶される撮影画像の帳簿書類に該当する領域の画素数サイズが、基準の画素数サイズ以上となるか否かを確認し（Ｓ３）、確認結果を撮影者に知らせる（Ｓ７〜Ｓ１３）。撮影者にあっては、帳簿書類を撮影する際には、その時点で撮影画像に確保できる解像度が規定を満足するか否かを逐次知ることができ、適切な撮影タイミングで撮影を行うことができる。【選択図】図４
2018157472.tif 000002
【特許請求の範囲】
【請求項１】
帳簿書類の撮影待機中に撮像手段により撮像された画像がライブビュー画像として表示される表示手段と、
撮影指示に応じて前記撮像手段により撮像された撮影画像を記憶手段に記憶させる記憶制御手段と、
前記撮影待機中に、撮影指示に応じて前記記憶手段に記憶されることとなる前記撮影画像の前記帳簿書類に該当する領域の画素数サイズが、基準の画素数サイズ以上となるか否かを確認する確認手段と、
前記確認手段による確認結果を撮影者に知らせる報知手段と
を備えたことを特徴とする帳簿書類処理装置。
【請求項２】
前記報知手段は、前記確認手段による確認結果を定常的に撮影者に知らせることを特徴とする請求項１記載の帳簿書類処理装置。
【請求項３】
前記ライブビュー画像における前記帳簿書類のサイズを撮影時に確保すべきサイズにするサイズ調整作業をガイドする指標を、前記表示手段に前記ライブビュー画像と共に表示させる表示制御手段を備えたことを特徴とする請求項１又は２記載の帳簿書類処理装置。
【請求項４】
前記指標は、撮影時に前記ライブビュー画像において確保すべき最小サイズを示す指標であり、
前記表示制御手段は、前記指標を前記ライブビュー画像に重ねて表示させる
ことを特徴とする請求項３記載の帳簿書類処理装置。
【請求項５】
前記指標は、前記ライブビュー画像において前記最小サイズからなる領域に外接するガイド枠であることを特徴とする請求項４記載の帳簿書類処理装置。
【請求項６】
前記表示制御手段は、前記指標の表示位置を、前記ライブビュー画像における前記帳簿書類の位置に応じて調整することを特徴とする請求項４又は５記載の帳簿書類処理装置。
【請求項７】
前記帳簿書類は伝票であることを特徴とする請求項１乃至６のいずれか一項に記載の帳簿書類処理装置。
【請求項８】
前記撮影画像から前記帳簿書類に記載されているバーコードを読み取り、当該バーコードにより示される識別情報を取得する識別情報取得手段を備え、
前記記憶制御手段は、前記撮影画像を前記識別情報と関連付けて前記記憶手段に記憶させる
ことを特徴とする請求項１乃至６のいずれか一項に記載の帳簿書類処理装置。
【請求項９】
帳簿書類の撮影待機中に撮像手段により撮像された画像をライブビュー画像として表示するステップと、
撮影指示に応じて前記撮像手段により撮像された撮影画像を記憶するステップと、
前記撮影待機中に、撮影指示に応じて記憶される前記撮影画像の前記帳簿書類に該当する領域の画素数サイズが、基準の画素数サイズ以上となるか否かを確認するステップと、
確認結果を撮影者に知らせるステップと
を含むことを特徴とする帳簿書類処理方法。
【請求項１０】
コンピュータに、
帳簿書類の撮影待機中に撮像手段により撮像された画像をライブビュー画像として表示する処理と、
撮影指示に応じて前記撮像手段により撮像された撮影画像を記憶する処理と、
前記撮影待機中に、撮影指示に応じて記憶される前記撮影画像の前記帳簿書類に該当する領域の画素数サイズが、基準の画素数サイズ以上となるか否かを確認する処理と、
確認結果を撮影者に知らせる処理と
を実行させることを特徴とするプログラム。
【発明の詳細な説明】
【技術分野】
【０００１】
本発明は、帳簿書類処理装置、帳簿書類処理方法、及びプログラムに関するものである。
【背景技術】
【０００２】
従来、業務用の伝票処理装置としてハンディターミナルが知られている。ハンディターミナルには、例えばバーコードスキャナとカメラを備え、各種伝票から、伝票に印刷されているバーコードに含まれる識別情報とカメラによって撮像された伝票の画像情報を取得するものがある。
【０００３】
また、伝票に印刷されているバーコードに含まれる識別情報に、デジタルカメラによって撮像し、取得された画像情報を対応付けてデータ管理する方法として、まず、バーコードスキャナでバーコードを読み取ることで識別情報を取得し、その後、デジタルカメラによって対象物を撮像することで、識別情報と画像情報を対応付けて保存する管理方法が知られている（特許文献１参照）。
【０００４】
一方、電子帳簿保存法では、領収書や納品書、伝票、請求書などの帳簿書類は、それらをスキャナによって読み取り画像情報として保存することが許容されており、近時においては、法改正による画像情報の取得要件の緩和によって、規定の解像度を満たせば、帳簿書類の画像情報の取得にスマートフォンやデジタルカメラ等の使用が認められるに到っている。
【先行技術文献】
【特許文献】
【０００５】
【特許文献１】特開平１１−３４９１１４号公報
【発明の概要】
【発明が解決しようとする課題】
【０００６】
しかしながら、ハンディターミナル等の業務用の伝票処理装置を用いて伝票を撮影し、伝票を画像情報として保存する場合、その画像情報の解像度は撮影距離や画角等によって一定とはならず、撮影者がその解像度を判断することは難しい。係ることから、最終的に記録される画像情報に規定の解像度を確実に確保することが難しいという問題があった。
【０００７】
本発明の課題は、帳簿書類の撮影画像を規定の解像度で確実に記録することである。
【課題を解決するための手段】
【０００８】
前記課題を解決するため、本発明の帳簿書類処理装置は、帳簿書類の撮影待機中に撮像手段により撮像された画像がライブビュー画像として表示される表示手段と、撮影指示に応じて前記撮像手段により撮像された撮影画像を記憶手段に記憶させる記憶制御手段と、前記撮影待機中に、撮影指示に応じて前記記憶手段に記憶されることとなる前記撮影画像の前記帳簿書類に該当する領域の画素数サイズが、基準の画素数サイズ以上となるか否かを確認する確認手段と、前記確認手段による確認結果を撮影者に知らせる報知手段とを備えたことを特徴とする。
【０００９】
また、本発明の帳簿書類処理方法は、帳簿書類の撮影待機中に撮像手段により撮像された画像をライブビュー画像として表示するステップと、撮影指示に応じて前記撮像手段により撮像された撮影画像を記憶するステップと、前記撮影待機中に、撮影指示に応じて記憶される前記撮影画像の前記帳簿書類に該当する領域の画素数サイズが、基準の画素数サイズ以上となるか否かを確認するステップと、確認結果を撮影者に知らせるステップとを含むことを特徴とする。
【００１０】
また、本発明のプログラムは、コンピュータに、帳簿書類の撮影待機中に撮像手段により撮像された画像をライブビュー画像として表示する処理と、撮影指示に応じて前記撮像手段により撮像された撮影画像を記憶する処理と、前記撮影待機中に、撮影指示に応じて記憶される前記撮影画像の前記帳簿書類に該当する領域の画素数サイズが、基準の画素数サイズ以上となるか否かを確認する処理と、確認結果を撮影者に知らせる処理とを実行させることを特徴とする。
【発明の効果】
【００１１】
本発明によれば、帳簿書類の撮影画像を規定の解像度で確実に記録することができる。
【図面の簡単な説明】
【００１２】
【図１】本発明の第１の実施形態に係る伝票処理装置の外観を示す図であり、（ａ）は正面図、（ｂ）は裏面図である。
【図２】伝票処理装置の電気的構成を示すブロック図である。
【図３】撮影対象の伝票の一例を示す図である。
【図４】伝票撮影モードでの処理を示すフローチャートである。
【図５】図４に続くフローチャートである。
【図６】伝票領域のサイズが基準サイズ未満である間のライブビュー画像の一例を示す図である。
【図７】伝票領域のサイズが基準サイズ以上である間のライブビュー画像の一例を示す図である。
【図８】伝票領域の形状に応じたガイド枠の変形例を示す図である。
【図９】第２の実施形態における伝票撮影モードでの処理を示すフローチャートである。
【図１０】第２の実施形態におけるライブビュー画像の変化の一例を示す図である。
【図１１】第３の実施形態における伝票撮影モードでの処理を示すフローチャートである。
【図１２】第３の実施形態におけるライブビュー画像の変化の一例を示す図である。
【発明を実施するための形態】
【００１３】
（実施形態１）
以下、本発明の第１の実施形態について説明する。図１は、第１の実施形態に係る伝票処理装置１の外観を示す図であり、同図（ａ）は伝票処理装置１の正面図、同図（ｂ）は伝票処理装置１の裏面図である。
【００１４】
伝票処理装置１は、伝票を撮影して撮影画像を記憶するとともに、その撮影画像から伝票に記載されているバーコードにより示される識別情報を取得する機能を備えたハンディターミナルである。
【００１５】
なお、伝票処理装置１は、ハンディターミナルに限定されるものではなく、タブレットＰＣ、ノートＰＣ、ＰＤＡ（Personal Digital Assistant）、スマートフォン、携帯電話など、他の情報端末装置であってもよい。
【００１６】
図１（ａ）に示すように、伝票処理装置１の正面側には、ディスプレイ２と、第１のインジケータ３、第２のインジケータ４、操作キー群５、スピーカ６が設けられている。
【００１７】
ディスプレイ２は、各種の情報を画面表示するとともに、付属のスタイラスを使用した伝票処理装置１の操作やデータ入力に使用される。第１のインジケータ３と第２のインジケータ４は、必要に応じ複数色に発光可能なＬＥＤ（Light Emitting Diode）である。第１のインジケータ３は伝票処理装置１の電源の状態に応じた色で点灯され、第２のインジケータ４は、バーコードにより示される識別情報と伝票の画像情報とを取得する際に緑色又は赤色で点灯される。
【００１８】
操作キー群５は、電源キー５ａと、センタートリガーキー５ｂを含む複数のキーから構成される。センタートリガーキー５ｂは伝票の撮影指示に使用される。なお、操作キー群５を構成する各々キー（図中では符号を省略する）には、ファンクションキーや数字キー等が含まれ、伝票処理装置１の各種の操作に使用される。
【００１９】
また、図１（ｂ）に示すように、伝票処理装置１の裏面側には、伝票を撮影するためのカメラ７とＬＥＤライト８が設けられている。なお、カメラ７はＡＦ（Auto Focus）機能を有している。さらに、伝票処理装置１の両側面には、センタートリガーキー５ｂと同様に伝票の撮影指示に使用されるサイドトリガーキー９がそれぞれ設けられている。
【００２０】
図２は、伝票処理装置１の電気的構成の概略を示すブロック図である。伝票処理装置１は、ＣＰＵ（Central Processing Unit）１１と、ＣＰＵ１１に接続されたＲＡＭ（Random Access Memory）１２と、主記憶装置１３、記録部１４、表示部１５、タッチパネル１６、インジケータ部１７、キー入力部１８、カメラ部１９、放音部２０、通信部２１から構成されている。
【００２１】
主記憶装置１３は、伝票処理装置１に内蔵されたフラッシュメモリ等の書き換え可能な不揮発性メモリにより構成される。主記憶装置１３には、制御プログラムを記憶する制御プログラム領域１３ａと、ユーザに設定された伝票処理装置１の動作に関する各種の設定情報を記憶する設定情報領域１３ｂと、撮影画像を一時記憶する画像領域１３ｃとが確保されている。
【００２２】
ここで、伝票処理装置１は複数種の伝票に対応可能であり、設定情報領域１３ｂには、ユーザにより予め設定された複数種類の伝票に関する情報（以下、伝票情報）が記憶されている。また、設定情報領域１３ｂには、ユーザによって予め設定された撮影対象となる伝票を示す情報や、伝票処理装置１の動作内容に関する情報を含む各種の設定情報も記憶されている。
【００２３】
ＣＰＵ１１は、主記憶装置１３から制御プログラムを読み出してＲＡＭ１２に展開し、展開した制御プログラムに基づき伝票処理装置１の動作を制御する。
【００２４】
表示部１５は、ディスプレイ２及びその駆動回路から構成される。ディスプレイ２は、例えばＬＣＤ（Liquid Crystal Display）、ＥＬＤ（Electro Luminescent Display）である。タッチパネル１６は、ディスプレイ２の表面に一体的に設けられた感圧式や静電式のタッチパネルであり、ユーザによる操作情報をＣＰＵ１１に供給する。
【００２５】
インジケータ部１７は、第１のインジケータ３と第２のインジケータ４を構成するＬＥＤと、それを駆動する駆動回路から構成される。なお、インジケータ部１７には、ＬＥＤライト８及びその駆動回路も含まれる。キー入力部１８は、センタートリガーキー５ｂ等の複数のキーから構成され、伝票処理装置１を使用するユーザによる操作情報をＣＰＵ１１に供給する。
【００２６】
カメラ部１９は、撮像素子と、アナログ信号及びデジタル信号を処理する画像処理エンジンと、ＡＦ時に撮像レンズを駆動する駆動回路とから構成される。なお、撮像素子は、ＣＭＯＳ（Complementary Meta1 0xide Semiconductor）やＣＣＤ（Charge Coupled Device）であり、その有効画素数は約５００万画素（２５９２ドット×１９４４ドット）である。
【００２７】
記録部１４は、例えば伝票処理装置１に着脱自在な各種のメモリカード、及びメモリカードへのデータの入出力を可能とするカードインターフェイスにより構成される。記録部１４には、伝票を撮影した撮影画像から伝票部分を切り出した伝票画像、つまり伝票の画像情報と、バーコードから取得した識別情報とを含む伝票データが随時記憶される。
【００２８】
放音部２０は、音声発生回路とアンプとスピーカ６とから構成され、必要に応じて各種の報知音を放音する。通信部２１は、必要に応じて有線又は無線通信によって外部のデータ管理サーバ５１との間で通信を行い、記録部１４に記憶（保存）されている複数枚の伝票の伝票データを送信する。
【００２９】
なお、データ管理サーバ５１は、複数台の伝票処理装置１から供給される多量の伝票データを管理するコンピュータであり、伝票データは、通信部２１の通信によってデータ管理サーバ５１へ供給される。なお、伝票データは、メモリカードによってもデータ管理サーバ５１へ供給される。また、伝票処理装置１とデータ管理サーバ５１との間の通信は任意の通信ネットワークを介して行うこともできる。
【００３０】
そして、伝票処理装置１には、伝票を撮影して伝票画像とバーコードの識別情報と伝票データを取得し記録部１４に保存するための伝票撮影モードと、記録部１４に保存されている伝票データを通信部２１を介して外部の情報処理装置へ出力するデータ出力モードとを含む複数の動作モードが設けられている。
【００３１】
次に、伝票処理装置１が撮影対象とする伝票について説明する。図３は、撮影対象となる伝票１０１の一例であって、例えば宅配業者が使用する配送用伝票を示した図である。この伝票１０１は横長の長方形状であり、その下部側に、配送元である依頼主の住所や氏名等を記載する依頼主欄１０２と配送先の住所や氏名等を記載する配送先欄１０３が設けられ、その右上部に、この伝票１０１に割り当てられた識別情報を示すバーコード１０４が記載されている。
【００３２】
ここで、一般的な伝票の実サイズは、Ａ４の紙１００のサイズ（縦２９７ｍｍ×横２１０ｍｍ）よりも小さく、例えば図３に示したように（縦１１５ｍｍ×横２３０ｍｍ）である。
【００３３】
一方、伝票１０１を撮影し伝票画像として保存する場合、その伝票画像には電子帳簿保存法で規定される所定の解像度を確保する必要がある。電子帳簿保存法で規定される解像度は、２５．４ｍｍ（１インチ）で２００ドット以上、つまり２００ｄｐｉ以上である。
【００３４】
解像度を２００ｄｐｉとすると、Ａ４サイズの紙１００の画像の画素数サイズは、縦２，３３８ドット、横１，６５４ドット、総画素数が３，８６７，０５２画素となる。また、伝票１０１が図３に示した実サイズであれば、伝票画像の画素数サイズは、縦９０６ドット、横１８１０ドット、総画素数が１，６３９，８６０画素である。したがって、総画素数が４００万画素以上の画像が記録できる構成であれば、図３に例示した伝票１０１等の一般的な各種の伝票に対応することができる。
【００３５】
そして、主記憶装置１３の設定情報領域１３ｂには、伝票１０１を２００ｄｐｉの伝票画像として保存するために使用される伝票画像の縦方向と横方向の最小画素数、つまり基準の画素数サイズと、バーコード１０４の伝票１０１内での位置に関する情報が、伝票の実サイズ（縦寸法と横寸法）とともに伝票情報として記憶されている。
【００３６】
なお、上記基準サイズは、伝票１０１の撮影画像の画素数サイズを最大画素数（５００万画素）としたときの画素数である。また、バーコード１０４の位置に関する情報は、伝票１０１内でのバーコード１０４の記載領域を例えば伝票１０１の右上を基準として示すものである。
【００３７】
次に、ユーザである撮影者が伝票処理装置１を使用して伝票を撮影する際における伝票処理装置１の本発明に係る動作について説明する。図４及び図５は、電源投入に伴いＣＰＵ１１が主記憶装置１３（制御プログラム領域１３ａ）に記憶されている制御プログラムに従い実行する伝票撮影モードでの処理を示したフローチャートである。
【００３８】
伝票撮影モードにおいてＣＰＵ１１は、直ちに撮影対象として予め指定されている伝票の伝票情報を主記憶装置１３（設定情報領域）から読み出す（ステップＳ１）。さらにＣＰＵ１１は、ライブビュー表示、すなわちカメラ部１９による所定のフレームレート（例えば３０ｆｐｓ）での画像の取り込み、及び取り込んだ画像（以下、ライブビュー画像）のディスプレイ２での表示を開始する（ステップＳ２）。
【００３９】
なお、本実施形態では、撮影時に伝票処理装置１を横向き状態で使用する仕様であり、後述する図６（ａ）、図６（ｂ）に示すようにライブビュー画像Ｇはディスプレイ２の画面中央領域２ａに表示される。なお、ディスプレイ２の他の画面領域２ｂ，２ｃにはライブビュー画像Ｇ以外の他の情報（図示せず）が表示される。
【００４０】
次に、ＣＰＵ１１は、逐次取り込んだフレーム毎（数フレーム毎でもよい。）のライブビュー画像Ｇから伝票１０１に該当する領域（以下、伝票領域）Ｇａを認識する（ステップＳ３）。伝票領域Ｇａの認識は、例えばライブビュー画像Ｇに対してエッジ検出や直線認識を行い、認識した複数の直線に沿って区画される複数の矩形領域を検出し、その中で面積が最大の矩形領域を伝票領域Ｇａとして特定することにより行う。なお、伝票領域Ｇａの特定は、例えば上記複数の矩形領域の面積だけでなく各領域の色情報に基づいて行うようにしてもよい。
【００４１】
さらに、ＣＰＵ１１は、伝票領域Ｇａが認識できたか否か、即ち伝票領域Ｇａの認識が成功したか否かを判別する（ステップＳ４）。ＣＰＵ１１は、伝票領域Ｇａが認識できるまで、新たなフレームのライブビュー画像Ｇに対して認識処理を繰り返し実行し（ステップＳ４：ＮＯ）、伝票領域Ｇａが認識できると（ステップＳ４：ＹＥＳ）、ライブビュー画像Ｇの所定位置にＯＳＤ（On Screen Display）機能によってガイド枠１１１を重畳して表示する（ステップＳ５）。その際、ＣＰＵ１１は、ガイド枠１１１の表示位置を、その中心が伝票領域Ｇａの中心と一致する位置とする。その際にガイド枠１１１の全体がライブビュー画像Ｇに表示できない場合、ＣＰＵ１１は、図６（ｂ）に示したように、ガイド枠１１１の表示位置をガイド枠１１１の全体が表示できる位置を限度として伝票領域Ｇａに近付けた位置に調整する。
【００４２】
ガイド枠１１１は、各々が長方形の伝票枠１１２及びバーコード枠１１３と、伝票枠１１２の四隅近傍にそれぞれ配置された４つの伝票検出点１１４とから構成される。
【００４３】
ガイド枠１１１は、各々が長方形の伝票枠１１２及びバーコード枠１１３と、伝票枠１１２の四隅近傍にそれぞれ配置された４つの伝票検出点１１４とから構成される。
【００４４】
伝票枠１１２は、縦方向と横方向とのサイズが伝票情報により示される基準サイズである長方形領域に外接する枠であって、規定の解像度で記録することができる伝票１０１の最小の大きさをライブビュー画像Ｇに明示するものである。
【００４５】
バーコード枠１１３は、伝票枠１１２の内側領域が伝票領域Ｇａと一致する状態にあるときバーコード１０４が位置する領域を示す枠である。４隅の伝票検出点１１４は、撮影者が伝票１０１を撮影する際に、ライブビュー画像Ｇにおける伝票１０１の大きさを調整するためのサイズ調整作業を補助するためのマークである。
【００４６】
引き続き、ＣＰＵ１１は、伝票領域Ｇａのサイズ（縦方向と横方向の画素数）を取得し（ステップＳ５）、そのサイズが伝票情報により示される基準の画素数サイズ（以下、基準サイズ）以上であって、縦方向と横方向との双方の画素数が基準の画素数以上であるか否かを確認する（ステップＳ６）。つまりこの時点で撮影が行われた場合、伝票領域Ｇａを規定以上の解像度で記録することができるか否かを確認する。
【００４７】
ここで、伝票領域Ｇａのサイズが基準サイズ以上でない場合、つまり縦方向または横方向のいずれか一方の画素数が基準の画素数未満であった場合（ステップＳ７：ＮＯ）、ＣＰＵ１１は以下の処理を行う。
【００４８】
まず、ＣＰＵ１１は、第２のインジケータ４（図４では、単にインジケータと標記する。）が赤色で点灯中であるか否かを判別する（ステップＳ８）。そして、ＣＰＵ１１は、第２のインジケータ４が赤色で点灯中でなければ（ステップＳ８：ＮＯ）、その時点で第２のインジケータ４を赤色で点灯させる（ステップＳ９）。さらに、ＣＰＵ１１は、ライブビュー画像Ｇにおける伝票１０１のサイズ調整作業、具体的には画角や撮影距離の調整を促す音声ガイダンスを放音部２０に出力させる（ステップＳ１０）。音声ガイダンスは、例えば「伝票をもっと大きく写して下さい。」といったメッセージである。また、画角や撮影距離の調整を促すガイダンスを表示部１５に表示させて、ガイダンスを撮影者に報知してもよい。
【００４９】
さらに、ガイダンスを放音部２０に音声出力させ且つ表示部１５に表示させることで、ガイダンスを撮影者に報知してもよい。
【００５０】
しかる後、ＣＰＵ１１は直ちにステップＳ３の処理に戻り、それ以降の処理を繰り返す。これによりガイド枠１１１が伝票領域Ｇａに追従して移動する。また、ＣＰＵ１１は、伝票領域Ｇａのサイズが基準サイズ未満である間（ステップＳ７：ＮＯ）、第２のインジケータ４が赤色で点灯中であるため（ステップＳ８：ＹＥＳ）、その状態を維持する。
【００５１】
その後、撮影者が伝票１０１のサイズ調整作業に伴い伝票領域Ｇａのサイズが基準サイズ以上になると（ステップＳ７：ＹＥＳ）、ＣＰＵ１１は、引き続き以下の処理を行う。図７は、伝票領域Ｇａのサイズが基準サイズ以上になった時点のライブビュー画像Ｇの一例であり、伝票領域Ｇａが伝票枠１１２に内接する状態を示した図であって、伝票領域Ｇａがライブビュー画像Ｇの中央に位置している場合の例を示すものである。
【００５２】
ＣＰＵ１１、上記のように伝票領域Ｇａのサイズが基準サイズ以上になると、その時点で第２のインジケータ４を緑色で点灯中であるか否かを確認する（ステップＳ１１）。つまり前回の処理で確認した伝票領域Ｇａのサイズも基準サイズ以上であった否かを確認する。
【００５３】
ここで、緑色で点灯中でない場合、つまり赤色で点灯中であった場合（ステップＳ１１：ＮＯ）、ＣＰＵ１１は、第２のインジケータ４を緑色で点灯させる（ステップＳ１２）。さらに、ＣＰＵ１１は、放音部２０に所定の報知音を発生させることによって、伝票画像に規定の解像度が確保可能となった旨を撮影者に報知する（ステップＳ１３）。なお、所定の報知音は、例えば「ピッピッ」といったブザー音である。
【００５４】
しかる後、ＣＰＵ１１は撮影者による撮影指示の有無を確認し、撮影指示がなければ（ステップＳ１４：ＮＯ）、ステップＳ３の処理に戻り、それ以降の処理を繰り返す。つまり撮影待機状態が維持される。
【００５５】
また、伝票領域Ｇａのサイズが基準以上になった時点で第２のインジケータ４を緑色で点灯中であった場合についは（ステップＳ１１：ＹＥＳ）、ステップＳ１２及びステップＳ１３の各処理をスキップし、直ちに撮影者による撮影指示の有無を確認する（ステップＳ１４）。そして、撮影指示があるまで（ステップＳ１４：ＮＯ）、ＣＰＵ１１はステップＳ３の処理に戻り、それ以降の処理を繰り返す。
【００５６】
なお、その間、撮影者から撮影指示がある以前に伝票領域Ｇａのサイズが基準未満になった場合（ステップＳ６：ＮＯ）、ＣＰＵ１１はステップＳ８〜ステップＳ１０の処理を行う、すなわち第２のインジケータ４を赤色点灯するとともに、画角や撮影距離の調整を促す音声ガイダンスを発生させることによって、再び伝票画像を規定の解像度で記録することができない状態となったことを撮影者に知らせる。
【００５７】
その後、伝票領域Ｇａのサイズが基準以上である間に撮影者から撮影指示があると（ステップＳ１４：ＹＥＳ）、図５に示したようにＣＰＵ１１は、カメラ部１９におけるＡＦ制御を行うとともに（ステップＳ１５）、伝票画像の記録に向けた撮影処理を行い（ステップＳ１６）、撮影画像を主記憶装置１３の画像領域１３ｃに一時記憶する（ステップＳ１７）。
【００５８】
次に、ＣＰＵ１１は、一時記憶した撮影画像において、伝票情報により示される位置情報に基づきバーコード１０４が存在するバーコード領域を特定し、そのバーコードを画像処理技術によりデコードして、決められた桁数で構成されるデータキャラクタからなる識別情報を取得する（ステップＳ１８）。そして、ＣＰＵ１１は、取得した識別情報を記録部１４に保存する（ステップＳ１９）。
【００５９】
さらに、ＣＰＵ１１は、一時記憶した撮影画像からステップＳ３の処理で認識した伝票領域Ｇａを切り出し（ステップＳ２０）、その領域の画像を伝票画像として記録部１４に保存する（ステップＳ２１）。その際、伝票画像の画像ファイルには、ステップＳ１８で取得した識別情報（データキャラクタ）をそのままファイル名として付与することによって、バーコードのコード情報と伝票画像とを関連付ける。これにより、ＣＰＵ１１は伝票撮影モードでの一連の処理を終了する。
【００６０】
以上のように伝票処理装置１においては、伝票撮影モードでの動作中、第２のインジケータ４を、伝票画像に規定の解像度が確保できない状態では赤色で点灯し、かつ伝票画像に規定の解像度が確保可能である状態では緑色で点灯する。これにより、撮影者にあっては、伝票１０１を撮影する際には、その時点で伝票画像に確保できる解像度が規定を満足するか否かを逐次知ることができ、適切な撮影タイミングで撮影を行うことができる。よって、伝票１０１の撮影画像を規定の解像度で確実に記録することが可能となる。
【００６１】
さらに、伝票画像に規定の解像度が確保可能であるか否かの状態を最初に確認した時点、及び確認結果が変化した時点で、音声ガイダンスや報知音により撮影者に知らせるようにした。これによっても、伝票１０１の撮影画像を規定の解像度で確実に記録することが可能となる。
【００６２】
なお、ここでは第２のインジケータ４の点灯色を赤色と緑色に変化させて、伝票画像に規定の解像度が確保可能であるか否かの状態を撮影者に定常的に知らせる構成を示した。しかし、報知する状態毎にインジケータを用意し、各々の状態を個別に報知する構成としてもよく、その場合、インジケータによる各々の状態の報知は、状態が変化した時点のみとしてもよい。
【００６３】
また、伝票画像に規定の解像度が確保可能であるか否かの確認結果を、第２のインジケータ４の点灯色と、音声ガイダンスや報知音とによって撮影者に知らせたが、これを前者のみ又は後者のみによって知らせるようにしてもよい。
【００６４】
さらに、第２のインジケータ４の点灯色を変化させる代わりにガイド枠１１１の表示色を変化させたり、伝票画像に規定の解像度が確保可能であることが確認できた時点での報知音の発生に代えて、ガイド枠１１１を一時的に点滅させたりする（所定の時間間隔で表示と非表示とを所定回数繰り返す）構成としてもよい。つまり伝票撮影モードでは第２のインジケータ４を使用することなく、ガイド枠１１１のみによって、伝票画像に規定の解像度が確保可能であるか否かの確認結果を撮影者に知らせてもよい。
【００６５】
一方、本実施形態では、ガイド枠１１１をライブビュー画像Ｇに重ねて表示し、規定の解像度が得られる伝票１０１の最小サイズを撮影者に示すようにした。したがって、撮影者にあっては、ライブビュー画像Ｇにおける伝票１０１のサイズを、伝票１０１が伝票枠１１２に内接するか、又はそれ以上となるように調整するだけで、伝票画像を確実に規定の解像度で記録することができる。よって、伝票画像の撮影を確実に、かつ容易に行うことができる。
【００６６】
また、ガイド枠１１１の表示位置を、ライブビュー画像Ｇにおける伝票１０１の位置に応じて調整する。具体的には、ガイド枠１１１の全体が表示できる位置を限度として伝票領域Ｇａに近付けた位置に調整する。これにより、撮影者にあっては、伝票画像の撮影をより一層容易に、かつ迅速に行うことが可能となる。
【００６７】
なお、ガイド枠１１１は、あくまでもライブビュー画像Ｇにおける伝票１０１の最小サイズを撮影者に示すものに過ぎず、伝票画像として使用する（切り出す）領域を示すものではない。したがって、撮影指示が行われるタイミングで伝票領域Ｇａとガイド枠１１１との位置にずれが生じていたとしても何ら支障はない。係る点については、例えば本実施形態とは異なり、撮影画像それ自体を伝票画像として保存する場合であっても同様である。
【００６８】
また、ガイド枠１１１は、ライブビュー画像Ｇにおける伝票１０１の最小サイズを撮影者に示すことができるものであればよく、例えばバーコード枠１１３や伝票検出点１１４を廃止して伝票枠１１２のみとすることができる。また、ガイド枠１１１として太線からなるものを示したが、ライブビュー画像Ｇにおいて識別可能であればガイド枠１１１は細線からなるものとしてもよい。さらに、ガイド枠１１１は、伝票枠１１２の四隅、すなわち伝票１０１の最小サイズの領域の四隅のみを示すものとすることもできる。
【００６９】
また、最終的に保存する伝票画像（伝票部分の画像）には規定の解像度さえ確保できればよい。一方、伝票１０１を必要以上に大きく撮影すると、そのデータ量がいたずらに増大する。したがって、ライブビュー画像Ｇには、推奨する伝票領域Ｇａのサイズを示す指標として他のガイド枠、例えばガイド枠１１１を囲む矩形枠をガイド枠１１１と共に表示させてもよい。その場合、最終的に保存する伝票画像のデータ量がいたずらに増大することが防止できる。
【００７０】
さらに、その場合には、伝票領域Ｇａのサイズがガイド枠１１１（その内側）のサイズ以上で、かつ上記他のガイド枠のサイズ以下の状態にある間のみ撮影を可能とすれば、最終的に保存する伝票画像のデータ量がいたずらに増大することが確実に防止できる。
【００７１】
また、ガイド枠１１１の形状は固定である必要はなく、例えば図８に示したように伝票領域Ｇａの形状に応じて変形させてもよい。なお、伝票領域Ｇａが正規形状（長方形）でなくとも、伝票領域Ｇａの各辺の画素数が基準の画素数以上であれば、伝票画像を規定の解像度で記録することができる。
【００７２】
また、ガイド枠１１１は常に表示させなくともよく、撮影者が伝票処理装置１の使用に先立ち、又は伝票１０１の撮影作業中に、その表示と非表示とを適宜切り替えられる構成としてもよい。
【００７３】
さらに、本実施形態では、ライブビュー画像Ｇにおける伝票１０１のサイズ調整作業をガイドする指標として、最小サイズを示すガイド枠１１１をライブビュー画像Ｇに重ねて表示するようにした。しかし、これに限らずガイド枠１１１はサイズ調整作業をガイドする機能を有するものであれば他の指標に代えることができる。その場合、その指標はライブビュー画像Ｇに重ねて表示するものでもよいし、ライブビュー画像Ｇとは別にディスプレイ２の画面中央領域２ａ以外の他の画面領域２ｂ，２ｃ等に表示するものでもよい。
【００７４】
例えばサイズ調整作業をガイドする指標として、ライブビュー画像Ｇにおける伝票１０１の最小サイズ（画素数サイズ）、又はその総画素数と、逐次変化する伝票１０１のサイズ（画素数サイズ）、又はその総画素数とを数値で表示させてもよい。また、前者と後者との関係を撮影者に明示する任意の指標を、サイズ調整作業をガイドする指標として表示するようにしてもよい。
【００７５】
また、本実施形態では、伝票処理装置１がバーコードにより示される識別情報を伝票１０１の撮影画像から取得する構成について説明したが、これに限らず、伝票処理装置１は、カメラ７とは別にバーコードから識別情報を読み取る専用のバーコードリーダーを設けた構成であっても構わない。また、撮影画像から伝票領域Ｇａを切り出し、それを伝票画像として記録構成としたが、撮影画像をそのまま記録する構成としてもよい。
【００７６】
また、例えば伝票処理装置１が常時データ管理サーバ５１と接続された状態で使用される場合においては、伝票処理装置１が伝票画像や撮影画像等を記録する必要はなく、取得した伝票画像や撮影画像等は直ちにデータ管理サーバ５１へ送信する構成とすることもできる。
【００７７】
（実施形態２）
次に、本発明の第２の実施形態について説明する。本実施形態は、第１の実施形態で説明した構成を有する伝票処理装置１において、ＣＰＵ１１に、ライブビュー画像Ｇにおける伝票１０１（伝票領域Ｇａ）の位置に関係なく、常にガイド枠１１１を固定して表示する処理を行わせる場合の例である。図１０は、本実施形態におけるライブビュー画像Ｇの変化の一例を示す図であって、本実施形態において、ガイド枠１１１の表示位置はライブビュー画像Ｇ（ディスプレイ２の画面中央領域２ａ）の中央である。
【００７８】
以下、本実施形態におけるＣＰＵ１１の処理を図９に従い具体的に説明する。本実施形態においてもＣＰＵ１１は、電源投入に伴い処理を開始すると、直ちに撮影対象として予め指定されている伝票の伝票情報を主記憶装置１３（設定情報領域）から読み出し（ステップＳ１０１）、ライブビュー表示を開始する（ステップＳ１０２）。
【００７９】
そして、本実施形態においてＣＰＵ１１は、ライブビュー表示を開始した直後に、ライブビュー画像Ｇの画像内容に関係なく、ガイド枠１１１を直ちにライブビュー画像Ｇ（ディスプレイ２の画面中央領域２ａ）の中央に重畳して表示する（ステップＳ１０３）。
【００８０】
引き続き、ＣＰＵ１１は、逐次取り込んだフレーム毎のライブビュー画像Ｇにおいて伝票領域Ｇａを認識し（ステップＳ１０４）、それが認識できると（ステップＳ１０５：ＹＥＳ）、認識した伝票領域Ｇａのサイズの取得し（ステップＳ１０６）、そのサイズが既説した基準サイズ以上であるか否かを確認する（ステップＳ１０７）。
【００８１】
以後、ＣＰＵ１１は、上記確認結果に応じステップＳ１０８〜ステップＳ１１４の処理を行う。なお、図から明らかなようにステップＳ１０８〜ステップＳ１１４の処理は、第１の実施形態で図４に示したステップＳ８〜ステップＳ１４の処理と同一であるため、ここでは説明を省略する。これにより本実施形態においても、伝票画像に規定の解像度が確保可能な状態である間のみ撮影可能とする。
【００８２】
以後、ＣＰＵ１１は、ライブビュー画像Ｇにおける伝票領域Ｇａのサイズが基準以上である間（第２のインジケータ４が緑色で点灯中）に撮影者から撮影指示があると（ステップＳ１１４：ＹＥＳ）、第１の実施形態で説明した図５の処理を行った後、伝票撮影モードでの一連の処理を終了する。
【００８３】
したがって、本実施形態においては、撮影者が伝票１０１を撮影する際には、例えば以下の手順で撮影を行うことにより、伝票１０１の撮影画像を規定の解像度で確実に記録することができる。まず、ライブビュー画像Ｇにおいて、図１０（ａ）に示したように伝票領域Ｇａをガイド枠１１１内に収まるように画角や撮影距離を調整する。次に、撮影距離をさらに調整し、伝票領域Ｇａが図１０（ｂ）に示したようにガイド枠１１１に内嵌する状態、又は伝票領域Ｇａが図１０（ｃ）に示したようにガイド枠１１１よりも大きい状態を確保し、かかる状態で撮影を実施する。
【００８４】
なお、本実施形態においても、ガイド枠１１１を常に固定して表示する点を除く他の構成については、それらを第１の実施形態で言及したように適宜変更することができる。
【００８５】
（実施形態３）
次に、本発明の第３の実施形態について説明する。本実施形態は、第１の実施形態で説明した構成を有する伝票処理装置１において、ＣＰＵ１１に、伝票画像に規定の解像度が確保可能であるか否かの確認結果を、第２のインジケータ４の表示色ではなくガイド枠１１１の表示色によって撮影者に知らせる処理を行わせる場合の例である。
【００８６】
ここでは、図１２を参照して第１の実施形態、及び第２の実施形態とは異なる点を先に説明する。図１２は、本実施形態におけるライブビュー画像Ｇの変化の一例を示す図である。本実施形態においては、図１２（ａ）に示したように画角内に伝票１０１が収まるまでの間、ディスプレイ２の画面中央領域２ａにはライブビュー画像Ｇのみを表示させる。
【００８７】
また、図１２（ｂ）及び図１２（ｃ）に示したように、ライブビュー画像Ｇに伝票領域Ｇａが存在する間は、ガイド枠１１１をライブビュー画像Ｇに重畳して表示させる。その際、ガイド枠１１１のサイズを伝票領域Ｇａに外嵌するサイズに逐次変化させ、その表示位置を伝票領域Ｇａに追随させることにより、ガイド枠１１１を常に伝票領域Ｇａに外嵌する状態に制御する。なお、図１２（ｂ）及び図１２（ｃ）は、ガイド枠１１１の伝票検出点１１４を省略した図である。
【００８８】
さらに、ガイド枠１１１の表示中には、図１２（ｂ）に示したように、伝票領域Ｇａのサイズが既説した基準サイズ未満である間はガイド枠１１１の表示色を赤色（図では黒）とする。また、図１２（ｃ）に示したように、伝票領域Ｇａのサイズが既説した基準サイズ以上である間はガイド枠１１１の表示色を緑色（図では斜線）とする。
【００８９】
以下、本実施形態におけるＣＰＵ１１の処理を図１１に従い具体的に説明する。図から明らかなようにステップＳ２０１〜ステップＳ２０４の処理は、第１の実施形態で図４に示したステップＳ１〜ステップＳ４の処理と同一であるため、ここでは説明を省略する。
【００９０】
本実施形態においては、ライブビュー画像Ｇにおいて伝票領域Ｇａが認識できると（ステップＳ２０４：ＹＥＳ）、ＣＰＵ１１が、直ちに伝票領域Ｇａのサイズを取得するとともに、ガイド枠１１１のサイズと表示位置を決定する（ステップＳ２０６）。ここで決定するガイド枠１１１のサイズは伝票領域Ｇａに外嵌するサイズであり、その表示位置は伝票領域Ｇａに外嵌する位置である。なお、例えばガイド枠１１１を細線からなるものとしてもよく、その場合には、ガイド枠１１１のサイズは伝票領域Ｇａと同一サイズである。
【００９１】
次に、ＣＰＵ１１は、伝票領域Ｇａのサイズが既説した基準サイズ以上であるか否かを確認し（ステップＳ２０８）、その結果に応じて以下の処理を行う。
【００９２】
まず、伝票領域Ｇａのサイズが基準サイズ以上でない場合（ステップＳ２０８：ＮＯ）、ＣＰＵ１１は、その時点でガイド枠１１１を赤色で表示していなければ（ステップＳ２０９：ＮＯ）、ガイド枠１１１を赤色でライブビュー画像Ｇに重畳して表示する（ステップＳ２１０）。その際、ガイド枠１１１のサイズ、及び表示位置はステップＳ２０６の処理で決定したサイズ及び位置である。
【００９３】
次に、ＣＰＵ１１は、第１の実施形態と同様の画角や撮影距離の調整を促す音声ガイダンスを放音部２０に出力させた後（Ｓ２１１）、ステップＳ２０３の処理に戻り、それ以降の処理を繰り返す。
【００９４】
なお、上記とは逆にその時点でガイド枠１１１を赤色で表示していれば（ステップＳ２０９：ＹＥＳ）、ステップＳ２１０、ステップＳ２１１の処理を省略して直ちにステップＳ２０３の処理に戻り、それ以降の処理を繰り返す。
【００９５】
一方、伝票領域Ｇａのサイズが基準サイズ以上である場合（ステップＳ２０８：ＹＥＳ）、ＣＰＵ１１は、その時点でガイド枠１１１を緑色で表示していなければ（ステップＳ２０９：ＮＯ）、ガイド枠１１１を緑色でライブビュー画像Ｇに重畳して表示する（ステップＳ２１３）。その際も、ガイド枠１１１のサイズ、及び表示位置はステップＳ２０６の処理で決定したサイズ及び位置である。
【００９６】
さらに、ＣＰＵ１１は、第１の実施形態と同様の所定の報知音を放音部２０に発生させることによって、伝票画像に規定の解像度が確保可能となった旨を撮影者に報知する（ステップＳ１２１４）。しかる後、ＣＰＵ１１は撮影者による撮影指示の有無を確認し、撮影指示がなければ（ステップＳ２１５：ＮＯ）、ステップＳ２０３の処理に戻り、それ以降の処理を繰り返す。
【００９７】
なお、上記とは逆にＣＰＵ１１は、ガイド枠１１１を緑色で表示していれば（ステップＳ２１２：ＹＥＳ）、ＣＰＵ１１は、ステップＳ２１３、ステップＳ２１４の処理を省略して直ちに撮影者による撮影指示の有無を確認し、撮影指示がなければ（ステップＳ２１５：ＮＯ）、ステップＳ２０３の処理に戻り、それ以降の処理を繰り返す。
【００９８】
また、ＣＰＵ１１は、ステップＳ１０３以降の処理を繰り返す間、ライブビュー画像Ｇにおいて伝票領域Ｇａが認識できなくなると（ステップＳ２０４：ＮＯ）、その時点でガイド枠１１１を赤色又は緑色で表示していれば（ステップＳ２０５：ＹＥＳ）、ガイド枠１１１の表示をいったん中止した後（ステップＳ２０６）、ステップＳ２０３の処理に戻り、それ以降の処理を繰り返す。
【００９９】
そして、ＣＰＵ１１は、伝票領域Ｇａのサイズが基準以上である間（ガイド枠１１１が緑色である間）に撮影者から撮影指示があると（ステップＳ２１５：ＹＥＳ）、第１の実施形態で説明した図５の処理を行った後、伝票撮影モードでの一連の処理を終了する。
【０１００】
以上説明したように本実施形態によれば、撮影者にあっては、伝票１０１を撮影する際、ガイド枠１１１が緑色で表示される（又は赤色から緑色に変化する）ことによって、伝票画像に確保できる解像度が規定を満足するか否かを知ることができる。よって、適切な撮影タイミングで撮影を行うことができ、伝票１０１の撮影画像を規定の解像度で確実に記録することが可能となる。
【０１０１】
しかも、ガイド枠１１１のサイズを伝票領域Ｇａに外嵌するサイズ（伝票領域Ｇａのサイズと同一でもよい）に逐次変化させ、その表示位置を伝票領域Ｇａに追随させることによってガイド枠１１１を常に伝票領域Ｇａに外嵌する状態に制御する。これにより、撮影者にあっては、伝票領域Ｇａがライブビュー画像Ｇのいずれの位置にある場合であっても、そのサイズ調整作業（画角や撮影距離の調整）を容易に行うことができる。
【０１０２】
なお、本実施形態においても、ガイド枠１１１の形状は固定である必要はなく、図８に示したように伝票領域Ｇａの形状に応じて変形させてもよい。
【０１０３】
ここで、本発明における撮影対象は伝票１０１に限定されるものではなく、その他の帳簿書類であっても構わない。また、本発明はハンディターミナル等に限定されるものではなく、帳簿書類を撮影し、その画像情報を取得するものであれば、スマートフォン、タブレットＰＣ（Personal Computer）、ノートＰＣ、ＰＤＡ(Personal Digital Assistant）等、他の情報端末装置にも適用することができる。
【０１０４】
以上、本発明のいくつかの実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
（付記１）
帳簿書類の撮影待機中に撮像手段により撮像された画像がライブビュー画像として表示される表示手段と、
撮影指示に応じて前記撮像手段により撮像された撮影画像を記憶手段に記憶させる記憶制御手段と、
前記撮影待機中に、撮影指示に応じて前記記憶手段に記憶される前記撮影画像の前記帳簿書類に該当する領域の画素数サイズが、基準の画素数サイズ以上となるか否かを確認する確認手段と、
前記確認手段による確認結果を撮影者に知らせる報知手段と
を備えたことを特徴とする帳簿書類処理装置。
（付記２）
前記報知手段は、前記確認手段による確認結果を定常的に撮影者に知らせることを特徴とする付記１記載の帳簿書類処理装置。
（付記３）
前記ライブビュー画像における前記帳簿書類のサイズを撮影時に確保すべきサイズにするサイズ調整作業をガイドする指標を、前記表示手段に前記ライブビュー画像と共に表示させる表示制御手段を備えたことを特徴とする付記１又は２記載の帳簿書類処理装置。
（付記４）
前記指標は、撮影時に前記ライブビュー画像において確保すべき最小サイズを示す指標であり、
前記表示制御手段は、前記指標を前記ライブビュー画像に重ねて表示させる
ことを特徴とする付記３記載の帳簿書類処理装置。
（付記５）
前記指標は、前記ライブビュー画像において前記最小サイズからなる領域に外接するガイド枠であることを特徴とする付記４記載の帳簿書類処理装置。
（付記６）
前記表示制御手段は、前記指標の表示位置を、前記ライブビュー画像における前記帳簿書類の位置に応じて調整することを特徴とする付記４又は５記載の帳簿書類処理装置。
（付記７）
前記帳簿書類は伝票であることを特徴とする付記１乃至６のいずれか一項に記載の帳簿書類処理装置。
（付記８）
前記撮影画像から前記帳簿書類に記載されているバーコードを読み取り、当該バーコードにより示される識別情報を取得する識別情報取得手段を備え、
前記記憶制御手段は、前記撮影画像を前記識別情報と関連付けて前記記憶手段に記憶させる
ことを特徴とする付記１乃至６のいずれか一項に記載の帳簿書類処理装置。
（付記９）
帳簿書類の撮影待機中に撮像手段により撮像された画像をライブビュー画像として表示するステップと、
撮影指示に応じて前記撮像手段により撮像された撮影画像を記憶するステップと、
前記撮影待機中に、撮影指示に応じて記憶される前記撮影画像の前記帳簿書類に該当する領域の画素数サイズが、基準の画素数サイズ以上となるか否かを確認するステップと、
確認結果を撮影者に知らせるステップと
を含むことを特徴とする帳簿書類処理方法。
（付記１０）
コンピュータに、
帳簿書類の撮影待機中に撮像手段により撮像された画像をライブビュー画像として表示する処理と、
撮影指示に応じて前記撮像手段により撮像された撮影画像を記憶する処理と、
前記撮影待機中に、撮影指示に応じて記憶される前記撮影画像の前記帳簿書類に該当する領域の画素数サイズが、基準の画素数サイズ以上となるか否かを確認する処理と、
確認結果を撮影者に知らせる処理と
を実行させることを特徴とするプログラム。
【符号の説明】
【０１０５】
１    伝票処理装置
２    ディスプレイ
２ａ    画面中央領域
４    第２のインジケータ
６    スピーカ
７    カメラ
１１    ＣＰＵ
１３    主記憶装置
１３ａ    制御プログラム領域
１３ｂ    設定情報領域
１３ｃ    画像領域
１４    記録部
１５    表示部
１７    インジケータ部
１９    カメラ部
２０    放音部
１０１    伝票
１０２    依頼主欄
１０３    配送先欄
１０４    バーコード
１１１    ガイド枠
１１２    伝票枠
Ｇ    ライブビュー画像
Ｇａ    伝票領域
【図１】
2018157472.tif 000003
【図２】
2018157472.tif 000004
【図３】
2018157472.tif 000005
【図４】
2018157472.tif 000006
【図５】
2018157472.tif 000007
【図６】
2018157472.tif 000008
【図７】
2018157472.tif 000009
【図８】
2018157472.tif 000010
【図９】
2018157472.tif 000011
【図１０】
2018157472.tif 000012
【図１１】
2018157472.tif 000013
【図１２】
2018157472.tif 000014